(57)【特許請求の範囲】
【請求項１】
電線を巻き回してコイル状に形成した電線把における中央柱状空間に挿入する中芯であって、
下向きに先細りするテーパ状であり、かつ、下端が多角形である錐台状の錐台体で構成し、
該錐台体を、
上面が開放された中空状に形成するとともに、
前記錐台体の側面の上部を外方に付勢する付勢手段を備え、
前記付勢手段を、
側面部分において、前記錐台体の上端側から下端側に向けて、内側に折り返した折り返し部で構成した
中芯。
【請求項２】
前記折り返し部を、
前記側面同士の間に配置した
請求項１に記載の中芯。
【請求項３】
板材を折曲げて構成した
請求項１又は請求項２に記載の中芯。
【請求項４】
前記板材を、
多角形状の底面構成部と
該底面構成部の各辺で接続する側面構成部と、
該側面構成部の側辺同士を連結するとともに、外面側から内面側に向かって折り返す折り返し箇所を有する折り返し形成部とで構成した
請求項３に記載の中芯。
【請求項５】
前記錐台体の上端外形が前記中央柱状空間の上面よりも大きく、
前記錐台体の高さが前記電線把の高さよりも高い
請求項１乃至請求項３のうちのいずれかに記載の中芯。
【請求項６】
前記錐台体の下端外形を正多角形とし、
前記錐台体の上端外形を正多角形または円形とした
請求項１乃至請求項５のうちのいずれかに記載の中芯。
【請求項７】
前記錐台体における側辺と下辺との交点部分を面取りした面取り部を備えた
請求項１乃至請求項５のうちのいずれかに記載の中芯。
【請求項８】
電線を巻き回してコイル状に形成した電線把における中央柱状空間に挿入する中芯であって、
下向きに先細りするテーパ状であり、かつ、下端が多角形である錐台状の錐台体で構成し、
該錐台体を、
上面が開放された中空状に形成するとともに、
前記錐台体の側面の上部を外方に付勢する付勢手段を備え、
板材を折曲げて構成し、
前記板材を、
多角形状の底面構成部と
該底面構成部の各辺で接続する側面構成部と、
該側面構成部の側辺同士を連結するとともに、外面側から内面側に向かって折り返す折り返し箇所を有する折り返し形成部とで構成した
中芯。
【発明の詳細な説明】
【技術分野】
【０００１】
この発明は、例えば被覆電線を巻き回してコイル状に形成した電線把の把崩れを防止するために用いられる中芯に関する。
【背景技術】
【０００２】
近年、家やビルディング、工場など多くの場所で電力の供給用に用いられる電力用電線や、通信ケーブルなど通信に用いられる通信用電線が縦横無尽に配線されて使用されている。また、例えば自動車の製造工程においては、車両に搭載されている多種多様な電子機器類と、電源や他の電子機器類とを電力供給用の電線を用いて接続している。
【０００３】
このように多様な分野において大量に使用されている電線は、保管、搬送および使用時の取り扱いの容易さから、前記電線を巻き回してコイル状の電線把を形成し、前記電線把に複数のバンドを巻きつけて結束して搬送していた。
【０００４】
しかし、前記バンドで結束した前記電線把であっても、搬送時の振動などにより、前記電線が自重で下方に位置する電線と電線との間に沈み込んだり、前記電線把の内側に倒れ込んだりして、前記電線把が崩れることがあった。
【０００５】
このような問題に対して、前記電線把の把崩れを防止するバンドが特許文献１に開示されている。  
この特許文献１に記載のバンドは、弾性を有する略Ｃ字状の帯板で形成されており、所定の間隔を隔てて対向する一端側と他端側との間に開口部を設け、前記開口部を広げて電線把を差し込んで電線把を束ねるとともに、開口部に設けた係止突起物にバンドを取付けることで前記電線把をきつく縛るができる。これにより、前記電線把の把崩れを防止できるとされている。
【０００６】
しかしながら、特許文献１に記載のバンドは、前記電線把を絞めつけることで前記電線把の把崩れを防止しているため、締め付けたバンドが前記電線把を構成する前記電線の表面を損傷するおそれがあった。
【先行技術文献】
【特許文献】
【０００７】
【特許文献１】特開２００５−２３９２４８号公報
【発明の概要】
【発明が解決しようとする課題】
【０００８】
この発明は、上述した問題を鑑み、コイル状の前記電線把を構成する前記電線の損傷を防止するとともに、前記電線把の把崩れを防止できる中芯を提供することを目的とする。
【課題を解決するための手段】
【０００９】
この発明は、電線を巻き回してコイル状に形成した電線把における中央柱状空間に挿入する中芯であって、下向きに先細りするテーパ状であり、かつ、下端が多角形である錐台状の錐台体で構成し、該錐台体を、上面が開放された中空状に形成するとともに、前記錐台体の側面の上部を外方に付勢する付勢手段を備え、前記付勢手段を、側面部分において、前記錐台体の上端側から下端側に向けて、内側に折り返した折り返し部で構成したことを特徴とする。
【００１０】
前記電線は、例えば、アルミニウム素線や銅線などの裸電線、および裸電線等の導体を絶縁体で被覆した被覆電線、電話線、光ケーブル、同軸ケーブルなどを含む。  
前記中央柱状空間とは、前記電線把の中央部分に形成された上下方向に貫通した空間をさす。
【００１１】
前記錐台体は、少なくとも側面を有する錐台体であればよく、上面および下面の少なくとも一面を塞ぐ面材を備えていてもよいし、両面に面材を備えていなくてもよい。  
また、前記錐台体は、上面と下面とが相似な多角形あるいは形状の異なる多角形である錐台体および上面が円や楕円などの円形状である錐台体を含み、上面および下面が平行である錐台体のみならず、平行でない錐体台も含む。
【００１２】
また、前記錐台体は、各面同士が形成する角部、すなわち辺部分が角である錐台体、および角部が丸みを帯びている錐台体、角部が面取りされた錐台体を含む。  
前記付勢手段は、例えば前記錐台体を変形させることにより形成された付勢手段のように前記錐台体と一体として構成された付勢手段、および前記錐台体と別体で構成された付勢手段、これらの付勢手段を組み合わせたものを含む。
【００１３】
前記側面部分とは、前記錐台体の上端から下端までの間の外面全体をさす。すなわち、前記錐台体の側面同士の間、前記錐台体の側面の中央部分を含む。
【００１４】
この発明により、コイル状の前記電線把を構成する前記電線の損傷を防止するとともに、前記電線把の把崩れを防止できる。  
詳述すると、前記錐台体の側面に付勢手段を備えることにより、前記電線把の外方向に付勢することで、側面が外方に拡がり、前記電線把を確実に支持して把崩れを防止することができる。また、下向きに先細りするテーパ状の錐台体は側面および側辺が上方に向かって外向きに傾斜するテーパ形状であるため、前記中芯を前記中央柱状空間にスムーズに挿入できるとともに、前記電線把の下部分にある電線が自重などにより内方向に突出しても、前記錐台体と前記電線との接触部分に係る力を分散することができ、前記電線の損傷を防止できる。
【００１５】
さらにまた、前記電線把の内径やその形状が異なる場合や前記電線把の高さが異なる場合であっても、前記付勢手段を備えることにより側面上部が側面の下端部を軸にして外方に拡がるため、前記電線把を確実に支持して前記電線把の把崩れを防止することができる。
【００１６】
したがって、前記電線把の前記中空状空間の平面視形状や内径の大きさが異なる場合や、前記電線把の高さが異なる場合であっても、前記電線把を確実に支持できるため、前記中芯は汎用性が高く、コストの削減を図ることができる。
【００１７】
また、前記折り返し部における折り返し箇所の復元力によって付勢力を得ることができるとともに、前記付勢手段を別部品で構成する場合に比べて、前記中芯を構成する部品点数を削減し、前記中芯の構成を簡素化することができる。
【００１８】
この発明の態様として、前記錐台体の上端外形が前記中央柱状空間の上面よりも大きく、前記錐台体の高さが前記電線把の高さよりも高くすることができる。  
前記上端外形は、前記錐台体を平面視した場合の、前記錐台体の上端に形成する外形をさす。  
【００１９】
この発明によると、前記錐台体の上端が、前記電線把の上端よりも上方に位置するとともに、把崩れし易い前記電線把の上端を前記錐台体の上部で支持することができ、前記電線把の把崩れを防止できる。
【００２０】
またこの発明の態様として、前記錐台体の下端外形を正多角形とし、前記錐台体の上端外形を正多角形または円形とすることができる。  
この発明により、前記中芯を前記中央柱状空間に挿入した状態で、前記電線把と接する前記錐台体の各接触部分に負荷を均等に作用させることができるため、バランスよく前記電線把を支持することができる。また、前記電線把の特定の箇所に負荷が集中することが無く、前記電線把を形成する前記電線の損傷をより確実に防止することができる。
【００２１】
またこの発明の態様として、前記錐台体における側辺と下辺との交点部分を面取りした面取り部を備えることができる。  
前記交点部分とは、前記側辺と前記下辺とが交わる交点を含む所定の範囲をさす。
【００２２】
この発明により、前記錐台体を前記中央柱状空間に、より容易に挿入することができるとともに、前記錐台体と前記電線把との接触による前記電線把を形成する前記電線の損傷をより確実に防ぐことができる。
【００２３】
詳述すると、前記面取り部を備えることにより、前記錐台体の側面を形成する側辺の下部をより緩やかなテーパ状に形成することができ、前記中央柱状空間にさらに容易に挿入することができるとともに、前記中芯を前記電線把の中央柱状空間に挿入する際に、前記中芯の前記側辺の下部が前記電線と接触することを防止し、前記電線の損傷をより確実に防止できる。
【００２４】
またこの発明の態様として、前記折り返し部を、前記側面同士の間に設けることができる。  
上述の前記側面同士の間に設けるとは、前記側面同士が形成するすべての角部に前記折り返し部が配置されている場合や、前記側面同士が形成する角部の一部に前記折り返し部が配置されている場合を含む。
【００２５】
この発明により、簡単な構成で確実に付勢手段を設けることができる。  
詳述すると、側面同士の間に前記折り返し手段を設けた場合、前記折り返し手段が側面同士の間以外の箇所に設けられた場合と比べて、容易に前記折り返し手段を内方向に折り返すことができる。したがって、簡単な構成で確実に付勢手段を設けることができる。
【００２６】
またこの発明の態様として、板材を折り曲げて構成することができる。  
前記板材とは、折り曲げによって、所定の復元力が発生すればよく、紙製のダンボール、プラスチック製のダンボール、ボール紙、および樹脂板などの折り曲げ可能であり、かつ、折り曲げによって所定の復元力を有する板材とする。
【００２７】
この発明により、使用する際に前記板材を折り曲げて前記中芯を作成することができる。すなわち、使用しない状態では前記板材として保管することができ、保管や持ち運び時に嵩張らないようにすることができる。
【００２８】
この発明の態様として、前記板材を、多角形状の底面構成部と、前記底面構成部の各辺で接続する側面構成部と、前記側面構成部の側辺同士を連結するとともに、外面側から内面側に向かって折り返す折り返し箇所を有する折り返し形成部とで構成することができる。
【００２９】
この発明により、前記底面構成部を前記電線把における前記中央柱状空間上に配置し、押し込むことで、立体加工された前記中芯を容易に形成することができる。  
詳述すると、多角形状をした前記底面構成部と、前記側面構成部とが連結しており、また前記側面構成部同士が前記折り返し形成部を介して連結しているため、前記電線把における前記中央柱状空間上に配置した前記底面構成部を押し込むことで、折り曲げ可能な前記板材は前記底面構成部を底面とし、前記側面構成部が側面とし、前記折り返し形成部が折り返し部とする錐台体を前記中央柱状空間内で形成することができる。
【００３０】
この際、前記側面構成部の側辺同士を連結する折り返し形成部が、前記側面構成部（側面）同士を連結しており、また前記折り返し形成部（折り返し部）が前記錐台体の内側に折り返されることから、前記折り返し形成部（折り返し部）を拡げようとする復元力が生じるとともに、前記側面構成部（側面）が外方に向けて戻ろうとする復元力が生じる。これにより、前記錐台体を形成する前記側面構成部（側面）が外側に拡がり、前記中芯の側辺が前記電線把と接触して前記電線把の把崩れを防止できる。
【発明の効果】
【００３１】
この発明により、コイル状の前記電線把を構成する前記電線の損傷を防止するとともに、前記電線把が把崩れを防止できる中芯を提供することができる。
【図面の簡単な説明】
【００３２】
【図１】中芯の説明図。
【図２】電線把に中芯を挿入する挿入方法の説明図。
【図３】中芯の説明図。
【図４】中芯の付勢に関する説明図。
【図５】中芯を用いた電線把の把崩れ防止の説明図。
【発明を実施するための形態】
【００３３】
この発明の一実施形態を以下図面１乃至図面５に基づいて詳述する。  
図面についてより詳しく説明すると、図１（ａ）は中芯１の平面図を示し、図１（ｂ）は中芯１の一部を上方に折り曲げた仮折り状態の仮折り中芯１ａの概略斜視図を示す。図２（ａ）は電線把１００の概略斜視図を示し、図２（ｂ）は仮折り中芯１ａを電線把１００に配置した状態を示し、図２（ｃ）は中芯１を電線把１００に装着した状態、つまり挿着状態中芯１ｂの概略斜視図を示している。
【００３４】
図３は、中芯１を電線把１００の円柱状空間Ｓに装着した状態である挿着状態中芯１ｂの説明図であり、図３（ａ）は逆四角錐台形状をした挿着状態中芯１ｂの斜視図を示し、図３（ｂ）および図３（ｃ）は挿着状態中芯１ｂの底面図および平面図を示す。
【００３５】
図４は挿着状態中芯１ｂが外側に拡がった状態の説明図であって、図４（ａ）は、逆四角錐台状に形成された挿着状態中芯１ｂの上部が閉じた状態を示し、図４（ｂ）は挿着状態中芯１ｂの上部が外方向に対して拡がる状態を示した概略斜視図である。  
図５（ａ）は挿着状態中芯１ｂを用いた電線把１００の支持状態を示し、図５（ｂ）は内径が大きい電線把１００に対して挿着状態中芯１ｂを用いた際の電線把１００の支持状態を示す。
【００３６】
先ず、中芯１を装着する電線把１００について説明する。  
電線把１００は、図２（ａ）に示すように、導体であるアルミ線を絶縁体で被覆した被覆電線１０１を巻き回してコイル状に形成した電線把であり、電線把１００の中心部分には円柱状の空間である円柱状空間Ｓを有している。
【００３７】
なお、被覆電線１０１は上述の構成を有する被覆電線である必要はなく、例えばアルミニウム素線や銅線などの裸電線、電話線、光ケーブル、同軸ケーブルなどであってもよい。
【００３８】
補助バンド１１０は、図２（ａ）に示すように、電線把１００の垂直方向（図２（ａ）における上下方向）における断面周方向に巻き付けて被覆電線１０１を束ねるバンドであり、電線把１００の水平方向の周方向に対して所定の間隔を隔てて４箇所に装着している。また、補助バンド１１０は、電線把１００が大きく把崩れしない程度に緩く結束する構成であるため、搬送中に補助バンド１１０と被覆電線１０１との接触による被覆電線１０１の表面の損傷を防ぐことができる。
【００３９】
次に、図１に基づいて、中芯１について説明する。  
中芯１は、折り曲げ可能な板状体であって、折り曲げによって所定の復元力を発生する材質であればどのような材質で構成してもよい。本実施例において、中芯１は、板状のダンボールで構成されており、図１（ａ）に示すように、角部が面取り線２で面取りされた略正方形状である。また、中芯１は、所定間隔を隔てた２本の谷折り線４を縦方向（図１（ａ）において上下方向）と横方向（図１（ａ）において左右方向）とのそれぞれに沿って配置し、井の字状に設けている。
【００４０】
また、中芯１は、井の字状の谷折り線４の交点のそれぞれから各面取り線２に向かって延びる斜め方向の山折り線５を設けている。また、井の字状の谷折り線４の交点には、面取り線２に平行な向きの正方形状の切り抜き部６を設けている。
【００４１】
なお、図１（ａ）に示すように、中芯１における外形線のうち面取り線２同士の間の縦方向と横方向の線を外形主線３とする。また、谷折り線４のうち、井の字状の中央部分を構成する谷折り中央部４ａとし、井の字状の中央部分から外側に突出する部分を谷折り外側部４ｂとする。
【００４２】
このように構成した中芯１の構成について、各部分に分けて詳細に説明する。  
中芯１は、中央に配置され、略正方形状の底面構成部１１と、底面構成部１１に対して四方向に隣接して配置した側面構成部１２と、隣り合う側面構成部１２同士の間に配置した折曲げ部１３とで構成している。
【００４３】
底面構成部１１は、切り抜き部６によって角部が面取りされ、四方向が谷折り中央部４ａで囲まれた略正方形状であり、対角線の長さが電線把１００の内径よりも短くなるように構成している。
【００４４】
側面構成部１２は、底面構成部１１に対して縦横方向にそれぞれ隣接配置されており、略長方形状である。詳しくは、側辺を形成する２本の谷折り外側部４ｂ、下辺を形成する谷折り中央部４ａ、及び上辺を形成する外形主線３の中央側一部に囲まれた略長方形状をしており、底面構成部１１との境界部分となる谷折り中央部４ａの両側が切り抜き部６によって面取りされている。
【００４５】
また、側面構成部１２の側辺である谷折り外側部４ｂは、下辺である谷折り中央部４ａよりも短く、電線把１００の高さよりも長い。  
なお、底面構成部１１と、底面構成部１１に対して四方向配置された略長方形状の側面構成部１２とは、略十字形状を構成している。
【００４６】
折曲げ部１３は、略正方形状の底面構成部１１とともに略十字状を構成する側面構成部１２において、縦横方向に隣接する側面構成部１２の間、つまり十字状の内角部分に設けられており、交差する向きの２本の谷折り外側部４ｂ、縦横それぞれの外形主線３の外側の一部及び面取り線２で囲まれ、底面構成部１１側の先端部が切り抜き部６で面取りされた略ダイヤモンド形状であり、折り曲げ部１３の中心部分には、切り抜き部６から面取り線２に向かう山折り線５を設けている。
【００４７】
このように各部分が構成された中芯１は、底面構成部１１と側面構成部１２とが谷折り中央部４ａを介して連結され、側面構成部１２と折曲げ部１３とが谷折り外側部４ｂを介して連結された一枚の板材である。
【００４８】
上述の構成を有する中芯１は、底面構成部１１を底面として、底面構成部１１に対して四方向に隣接して配置した側面構成部１２と、側面構成部１２同士の間に形成された折曲げ部１３とを上方に折曲げることにより仮折り中芯１ａを形成することができる（図１（ｂ）参照）。
【００４９】
具体的には、谷折り中央部４ａおよび谷折り外側部４ｂを谷折りすることで、谷折り中央部４ａを軸として側面構成部１２が上方に折り曲げられるとともに、側面構成部１２と連結している折曲げ部１３が底面構成部１１の上方に折り曲げられる。
【００５０】
次に、山折り線５を山折りすることで、山折り線５が底面構成部１１の上方に突出するように折り曲げられ、折曲げ部１３が中芯１の上方内側に折り曲げられる。このようにして、側面構成部１２と折曲げ部１３とが仮折りされた仮折り中芯１ａを形成することができる。（図１（ｂ）参照）。
【００５１】
次に、上述の構成を有する中芯１を用いて電線把１００の把崩れを防止する方法について図２乃至図５に基づいて説明する。  
先ず、大きく把崩れをしないように、予め補助バンド１１０を巻きつけた電線把１００の上端部に、底面構成部１１が円柱状空間Ｓの上側に位置するように、仮折り中芯１ａを設置し、底面構成部１１を円柱状空間Ｓに押し込む（図２（ｂ）参照）。
【００５２】
底面構成部１１が円柱状空間Ｓに押し込まれることにより、山折り線５が中芯１の上方内側に入り込むように折曲げ部１３が折畳まれて、谷折り外側部４ｂが円柱状空間Ｓ内で上方に立ち上がる。また、谷折り中央部４ａを折り曲げ軸として側面構成部１２が上方に折り曲げられるため、仮折り中芯１ａは上面が開放され、高さが電線把１００の高さよりも高く、側面が上方に向かって外向きに傾斜するテーパ形状となった中空状の逆四角錐台形状の挿着状態中芯１ｂを形成する（図２（ｃ）および図３参照）。この際、図２（ｃ）に示すように、上端外形は平面視略正方形状となる。
【００５３】
挿着状態中芯１ｂは、図３に示すように、底面を底面構成部１１で形成するとともに（図３（ｂ）参照）、側面を側面構成部１２で形成する（図３（ａ）および図３（ｃ）参照）。また折曲げ部１３は、折曲げ部１３の中央に設けられている山折り線５が挿着状態中芯１ｂの内方向に突出するとともに（図３（ｃ）参照）、側面構成部１２の側辺を形成する谷折り外側部４ｂを谷折りする折り畳み構造を形成している。
【００５４】
また、挿着状態中芯１ｂの下方四隅において、底面構成部１１と側面構成部１２と折曲げ部１３とが形成する角部には面取り部６ａが形成される。面取り部６ａは、中芯１において、底面構成部１１と側面構成部１２と折り曲げ部１３とが交わる点を切り抜いて形成されている切り抜き部６が、山折り線５を挿着状態中芯１ｂの内方向に突出するように折畳むことで形成される下側斜め方向から視て三角形状の貫通孔である。
【００５５】
また、ダンボールで形成された挿着状態中芯１ｂは、図４に示すように、上面が開放されていることに加えて、折曲げ部１３が内方向に折り曲げられた構成であるため、折り曲げられた折曲げ部１３が元に戻ろうとする折り曲げ復元力Ｐａと（図４（ａ）参照）、側面構成部１２が谷折り中央部４ａを軸として外側に向かって復元しようとする側面復元力Ｐｂ（図４（ｂ）参照）の二つの付勢手段を有する。
【００５６】
このように、被覆電線１０１を巻き回してコイル状に形成した電線把１００における円柱状空間Ｓに装着する挿着状態中芯１ｂは、下向きに先細りするテーパ状であり、かつ、底面構成部１１が略正方形である逆四角錐台状の錐台体を構成し、上面が開放された中空状に形成されるとともに、挿着状態中芯１ｂの側面の上部を外方に付勢する折曲げ部１３を側面構成部１２の間に備えることにより、コイル状の電線把１００を構成する被覆電線１０１の損傷を防止するとともに、電線把１００の把崩れを防止することができる。
【００５７】
詳述すると、下向きに先細りした挿着状態中芯１ｂは側面構成部１２あるいは側辺を形成する谷折り外側部４ｂが上方に向かって外向きに傾斜するテーパ形状となるため、中芯１（仮折り中芯１ａ）を円柱状空間Ｓにスムーズに挿入できるとともに、挿着状態中芯１ｂの谷折り外側部４ｂと電線把１００とが接触することによる被覆電線１０１の損傷を防止することができる。特に、挿着状態中芯１ｂがテーパ形状を形成することにより、例えば、電線把１００の下部分にある被覆電線１０１が自重などに下方に沈み込むことにより、被覆電線１０１が内方向に突出しても、挿着状態中芯１ｂと被覆電線１０１との接触部分に係る力を分散することができ、被覆電線１０１の損傷を防止することができる。
【００５８】
また、側面構成部１２の間に、挿着状態中芯１ｂの内側に折り返した折曲げ部１３を設けることで、折曲げ部１３を簡易に折り曲げ可能とするとともに、別部品による付勢手段を設ける構成と比べて、挿着状態中芯１ｂを構成する部品点数を削減し、挿着状態中芯１ｂの構成を簡素化することができる。
【００５９】
また、折曲げ部１３を側面構成部１２の間に備えることにより山折り線５に対して折曲げ部１３を開こうとする折り曲げ復元力Ｐａ（図４（ａ）参照）と側面構成部１２を挿着状態中芯１ｂの外側に向かって倒そうとする側面復元力Ｐｂとが生じ、挿着状態中芯１ｂが外向きに拡がることとなる（図４及び図５参照）。
【００６０】
したがって、挿着状態中芯１ｂの上部が外側に拡がり、挿着状態中芯１ｂに備わる谷折り外側部４ｂが電線把１００の上部を支えて電線把１００の把崩れを防止することができる（図５（ａ）参照）。
【００６１】
さらにまた、電線把１００の内径が大きい場合や、電線把１００の高さが低い場合であっても、折曲げ部１３の復元力により、挿着状態中芯１ｂの上部が外側に拡がって電線把１００の上部を支えることができ、電線把１００の把崩れを防止することができる（図５（ｂ）参照）。
【００６２】
このように、電線把１００の内径の形状や大きさ、電線把１００の高さが異なる場合であっても、共通の挿着状態中芯１ｂを用いて確実に電線把１００を支持することができため汎用性が高く、コストの削減を図ることができる。
【００６３】
また、逆四角錐台状である挿着状態中芯１ｂの高さが電線把１００の高さよりも高く、上端外形が円柱状空間Ｓの上面よりも大きいことにより、挿着状態中芯１ｂの上端が、電線把１００の上端よりも上方に位置することとなり、把崩れし易い電線把１００の上端を挿着状態中芯１ｂの上部で支持することでき、電線把１００の把崩れをより防止することができる。
【００６４】
また、挿着状態中芯１ｂの底面構成部１１および上端外形を略正方形状とすることで、挿着状態中芯１ｂを円柱状空間Ｓに挿入した状態において、電線把１００と接触する挿着状態中芯１ｂの各接触部分に負荷を均等に作用させることができ、バランスよく電線把１００を支持することができる。また、各接触部分に均等に負荷が加わるため、電線把１００の特定の箇所に負荷が集中することが無く、電線把１００を構成する被覆電線１０１の損傷をより防止することができる。
【００６５】
さらにまた、挿着状態中芯１ｂに面取り部６ａを備えることにより、挿着状態中芯１ｂの側面構成部１２の側辺を形成する谷折り外側部４ｂの下部をより緩やかなテーパ状に形成することができ、さらに容易に中芯１（仮折り中芯１ａ）を円柱状空間Ｓに挿入することができるとともに、挿着状態中芯１ｂを電線把１００の円柱状空間Ｓに挿入する際に、挿着状態中芯１ｂの側辺の下部が電線把１００と接触することを防止し、電線把１００を構成する覆被覆電線１０１の損傷をより確実に防止できる。
【００６６】
また、挿着状態中芯１ｂを展開した状態である中芯１において、略正方形状の底面構成部１１と、底面構成部１１の各辺で接続する側面構成部１２と、側辺構成部１２を連結するとともに、外側から内側に向かう折り返し箇所を有する折曲げ部１３とで構成することにより、底面構成部１１を電線把１００における円柱状空間Ｓ上に配置して押し込むことで、挿着状態中芯１ｂを容易に円柱状空間Ｓ内に形成することができる。
【００６７】
詳述すると、略正方形状に形成された底面構成部１１と側面構成部１２とが谷折り中央部４ａを介して連結されており、また側面構成部１２同士は折曲げ部１３を介して連結しているため、円柱状空間Ｓ上に配置した仮折り中芯１ａの底面構成部１１を押し込むことで、折り曲げ可能な中芯１は底面構成部１１を底面とし、側面構成部１２が側面となるように円柱状空間Ｓ内で逆四角錐台形状の挿着状態中芯１ｂを形成することができる。
【００６８】
この際、折曲げ部１３が側面構成部１２同士を連結するとともに、山折り線５が挿着状態中芯１ｂの内側に突出するように折曲げ部１３を折り返した形状となり、挿着状態中芯１ｂの側面を形成する側面構成部１２における側辺が電線把１００と接触するように拡がり、電線把１００の把崩れを防止することができる。
【００６９】
このように、中芯１は、電線把１００における円柱状空間Ｓ上に配置した仮折り中芯１ａを円柱状空間Ｓに押し込むことで、挿着状態中芯１ｂを容易に形成することができるとともに、電線把１００の把崩れを防止することができる。
【００７０】
さらに、挿着状態中芯１ｂを、折り曲げ可能であるとともに、折り曲げによって所定の復元力を発生する板材であるダンボールで構成しているため、容易に中芯１を折り曲げて挿着状態中芯１ｂを作成することができるとともに、使用しない状態では板状の中芯１として保管することができ、保管や持ち運び時に嵩張らないようにすることができる。
【００７１】
また、中芯１をダンボールで構成することにより、挿着状態中芯１ｂと被覆電線１０１との接触部分の摩擦を軽減することができるため、電線把１００を支持しつつ被覆電線１０１が損傷するおそれを低減することができるとともに、挿着状態中芯１ｂの軽量化を図り、さらには製造コストを削減することができる。  
【００７２】
この発明の構成と、上述の実施形態との対応において、折り返し部および折り返し形成部は、折曲げ部１３に対応し、
電線は、被覆電線１０１に対応し、
中央柱状空間は、円柱状空間Ｓに対応するが、この発明は、上述の実施形態の構成のみに限定されるものではなく、多くの実施の形態を得ることができる。
【００７３】
例えば、本実施例において、折曲げ部１３の上辺及び側面構成部１２の上辺が形成する上端外形の形状を略正方形状としているが、この形状に限るものではなく、多角形状であるならばどのような形状でもよい。
【００７４】
しかし、底面構成部１１および上端外形の形状を正多角形とすることにより電線把１００を挿着状態中芯１ｂが支持する状態において、電線把１００と挿着状態中芯１ｂとの接触部分となる谷折り外側部４ｂの上端側端部に作用する負荷を均等にすることができるため、底面構成部１１の形状は正多角形が好ましい。
【００７５】
また、本実施例において折曲げ部１３を側面構成部１２同士の間に設けているが、折曲げ部１３を設ける位置は必ずしも側面構成部１２の端部において側面構成部１２同士を連結するように設ける必要はなく、例えば側面構成部１２の中央部分、すなわち側面構成部１２の側辺側端部以外の部位に山折り線５が谷折り外側部４ｂに沿うように形成されていても良いし、折り曲げ部１３を備えない構成としても良い。
【００７６】
例えば、側面構成部１２同士を連結する側辺側端部以外の部位に、山折り線５が谷折り外側部４ｂに沿うように折曲げ部１３を側面構成部１２に形成した場合であっても、折曲げ部１３がもとに戻ろうとする復元力により側面構成部１２が外側方向に拡がり、電線把１００の把崩れを確実に防止することができる。
【００７７】
また、折り曲げ部１３を設けない場合であっても、谷折り中央部４ａを基として情報に折り曲げた側面構成部１２が、元に戻ろうとする復元力を有するため、被覆電線１０１を指示することができ、電線把１００の把崩れを防止することができる。
【００７８】
しかし、折曲げ部１３を側面構成部１２に形成した場合、前記折曲げ部１３を容易に折り曲げることができず、また、電線把１００と挿着状態中芯１ｂとの接続部分が、側面構成部１２同士が形成する角部のみとなるため、折曲げ部１３を側面構成部１２同士の間に形成した場合と比べて電線把１００と接触する接触部分が少なくなり、電線把１００を安定して支持することができない。
【００７９】
なお、折曲げ部１３を側面構成部１２の中央部分に設ける場合は、山折り線５は挿着状態中芯１ｂの内側に突出していてもよい、外側に突出していてもよい。
【００８０】
また、本実施例においては、電線把１００の上端に仮折り中芯１ａを配置し、底面構成部１１を下方に押しこむことで円柱状空間Ｓに挿着状態中芯１ｂを挿入しているが、例えば、円柱状空間Ｓへの挿入前に挿着状態中芯１ｂを組み立てて円柱状空間Ｓに挿入してもよい。
【符号の説明】
【００８１】
１…中芯
１ａ…仮折り中芯
１ｂ…挿着状態中芯
１１…底面構成部
１２…側面構成部
１３…折曲げ部
２…面取り線
３…外形主線
４…谷折り線
５…山折り線
６…切り抜き孔部
６ａ…面取り部
１００…電線把
１０１…被覆電線
１１０…補助バンド
Ｓ…柱状空間
Ｐａ…折り曲げ復元力
Ｐｂ…側面復元力
【図１】
0006588238.tif 000002
【図２】
0006588238.tif 000003
【図３】
0006588238.tif 000004
【図４】
0006588238.tif 000005
【図５】
0006588238.tif 000006